(57)【要約】【課題】スクリーン上に拡大して高精度の画像を表示することができるプロジェクタ用光源装置を提供する。【解決手段】光源１としての複数のＬＥＤ１０及び拡散板２を有するプロジェクタ用光源装置であって、ＬＥＤ１０は照射角：０〜１５度のものを、その照射方向が集光するように基板１１に設けてられているものであり、光源１としての複数のＬＥＤ１０からの光が拡散板２により拡散され、集光されてプロジェクタの映像信号の表示部に配光させるようにしたプロジェクタ用光源装置で、スクリーン上に拡大して高精度の画像を映すことができるものである。【選択図】  図１
2004279507.tif 000002
【特許請求の範囲】
【請求項１】
光源としての複数のＬＥＤ及び拡散板を有するプロジェクタ用光源装置であって、前記複数のＬＥＤは、３ｉｎ１フルカラーＬＥＤ、または赤色ＬＥＤと青色ＬＥＤと緑色ＬＥＤであり、または白色ＬＥＤと赤色ＬＥＤと青色ＬＥＤと緑色ＬＥＤであり、前記各ＬＥＤは照射角：０〜１５度のもので、前記複数のＬＥＤの照射方向が集光するように基板に設けてられているものであり、光源としての複数のＬＥＤからの光が拡散板により拡散され、集光されてプロジェクタの映像信号の表示部に配光させることを特徴とするプロジェクタ用光源装置。
【請求項２】
拡散板が、複数のＬＥＤに近接させて設けてられていることを特徴とする請求項１に記載のプロジェクタ用光源装置。
【請求項３】
拡散板が、フレネルレンズであることを特徴とする請求項１または２に記載のプロジェクタ用光源装置。
【請求項４】
拡散板が、集光フレネルレンズであり、光源としての複数のＬＥＤからの光が集光フレネルレンズにより拡散、集光されてプロジェクタの映像信号の表示部に配光させることを特徴とする請求項１〜３のいずれかに記載のプロジェクタ用光源装置。
【請求項５】
拡散板が、フレネルレンズであり、光源としての複数のＬＥＤからの光が拡散板により拡散され、集光レンズで集光されてプロジェクタの映像信号の表示部に配光させることを特徴とする請求項１〜３のいずれかに記載のプロジェクタ用光源装置。
【請求項６】
光源としての複数のＬＥＤが、基板に円形配置して設けられることを特徴とする請求項１〜５のいずれかに記載のプロジェクタ用光源装置。
【請求項７】
光源としての複数のＬＥＤを設けた基板を複数枚組み合わせて皿状の面に形成したものであることを特徴とする請求項１〜６のいずれかに記載のプロジェクタ用光源装置。
【請求項８】
光源としての複数のＬＥＤが、プロジェクタの映像信号の表示部と同期して点滅させる制御手段を備えていることを特徴とする請求項１〜７のいずれかにプロジェクタ用光源装置。
【請求項９】
プロジェクタの映像信号の表示部が、透過型または反射型であることを特徴とする請求項１〜８のいずれかにプロジェクタ用光源装置。
【発明の詳細な説明】
【０００１】
【発明の属する技術分野】
本発明は、プロジェクタ用光源装置に係り、特に光源としての複数のＬＥＤ（発光ダイオード）及び拡散板を有するプロジェクタ用光源装置に関するものである。
【０００２】
【従来の技術】
従来、液晶パネルに光を当てスクリーンに拡大投影するプロジェクタにおいて、光源としてランプが用いられており、図１５に示すように、ランプ８０とリフレクタ８１からなるもので、ランプ８０から発生する熱に対する冷却用送風ファン８２を設けなければならず、また光源としてランプの光量を上げようとすればランプからの発熱量も多くなり、さらにランプは耐久性が短く、また消費電力が多く、コストのかかるものであった。これを解決するために特許文献１に示すような光源としてＬＥＤ（発光ダイオード）を用いた光源装置が知られている。
【特許文献１】特開２００１−４２４３１号公報
【０００３】
【発明が解決しようとする課題】
しかしながら、複数のＬＥＤを用いたプロジェクタは、光源としての複数のＬＥＤの光は“つぶ”であり、プロジェクタからスクリーンに拡大された画像が写しだされたときに、複数のＬＥＤの光の“つぶ”が表われ、スクリーン上に高精度の画像を表示することができないという問題がある。
本発明は、スクリーン上に拡大して高精度の画像を表示することができる、光源としての複数のＬＥＤ及び拡散板を有するプロジェクタ用光源装置を提供するものである。
【０００４】
【課題を解決するための手段】
本発明は、光源としての複数のＬＥＤ及び拡散板を有するプロジェクタ用光源装置であって、前記複数のＬＥＤは、３ｉｎ１フルカラーＬＥＤ、または赤色ＬＥＤと青色ＬＥＤと緑色ＬＥＤであり、または白色ＬＥＤと赤色ＬＥＤと青色ＬＥＤと緑色ＬＥＤであり、前記各ＬＥＤは照射角：０〜１５度のもので、前記複数のＬＥＤの照射方向が集光するように基板に設けてられているものであり、光源としての複数のＬＥＤからの光が拡散板により拡散され、集光されてプロジェクタの映像信号の表示部に配光させることを特徴とするプロジェクタ用光源装置である。
【０００５】
また、本発明の上記プロジェクタ用光源装置は、拡散板が複数のＬＥＤに近接させて設けてられていることを特徴とするものである。
また、本発明の上記プロジェクタ用光源装置は、拡散板がフレネルレンズであることを特徴とするとするものである。
また、本発明の上記プロジェクタ用光源装置は、拡散板が集光フレネルレンズであり、光源としての複数のＬＥＤからの光が集光フレネルレンズにより拡散、集光されてプロジェクタの映像信号の表示部に配光させることを特徴とするものである。
また、本発明の上記プロジェクタ用光源装置は、拡散板がフレネルレンズであり、光源としての複数のＬＥＤからの光が拡散板により拡散され、集光レンズで集光されてプロジェクタの映像信号の表示部に配光させることを特徴とするものである。
【０００６】
また、本発明の上記プロジェクタ用光源装置は、光源としての複数のＬＥＤが、基板に円形配置して設けられることを特徴とするものである。
また、本発明の上記プロジェクタ用光源装置は、光源としての複数のＬＥＤを設けた基板を複数枚組み合わせて皿状の面に形成したものであることを特徴とするものである。
また、本発明の上記プロジェクタ用光源装置は、光源としての複数のＬＥＤが、プロジェクタの映像信号の表示部と同期して点滅させる制御手段を備えていることを特徴とするものである。
さらに、本発明の上記プロジェクタ用光源装置は、プロジェクタの映像信号の表示部が、透過型または反射型であることを特徴とするものである。
【０００７】
【作用】
本発明のプロジェクタ用光源装置は、光源としての複数の３ｉｎ１フルカラーＬＥＤ、または赤色ＬＥＤと青色ＬＥＤと緑色ＬＥＤ、または白色ＬＥＤと赤色ＬＥＤと青色ＬＥＤと緑色ＬＥＤであり、このような光源と拡散板を有することにより、光源としての複数のＬＥＤから発光される複数の光を拡散板により拡散して光束とし、スクリーンに高精度の画像を表示することができるものである。また、各ＬＥＤは、照射角：０〜１５度のもので、複数のＬＥＤの照射方向が集光するように基板に設けてられているので、光の利用効率を上げることができ、プロジェクタ用の照明として十分な光度とすることができ、従来のランプを用いたプロジェクタ用照明のようにリフレクタを設けなくても、十分な光度とすることができるものである。
【０００８】
【発明の実施の形態】
本発明のプロジェクタ用光源装置は、光源として、Ｒ（赤色光）のチップ、Ｇ（緑色光）のチップ、Ｂ（青色光）のチップの３つを入れた３ｉｎ１フルカラーＬＥＤを複数個基板に設けたもの、あるいは白色ＬＥＤと赤色ＬＥＤと青色ＬＥＤと緑色ＬＥＤを複数個混在させて基板に設けたものである。
【０００９】
基板に設けた複数個の３ｉｎ１フルカラーＬＥＤ、あるいは基板に複数個混在させて設けた赤色ＬＥＤと青色ＬＥＤと緑色ＬＥＤ、あるいは基板に複数個混在させて設けた白色ＬＥＤと赤色ＬＥＤと青色ＬＥＤと緑色ＬＥＤのような光源よりの白色光は集光レンズを経由し、ダイクロイックミラーやプリズムにより、Ｒ（赤色光）、Ｇ（緑色光）、Ｂ（青色光）の３つに分けられる。３つに分けられたそれぞれの光は、プロジェクタの映像信号の透過型のＲ（赤色光）、Ｇ（緑色光）、Ｂ（青色光）の３つ表示部例えば液晶パネルを通過して３つに投射光となり、これら３つに投射光はプリズムにより合成されて、投写レンズを経由して拡大されスクリーンに投影されるものである。
【００１０】
あるいは、ダイクロイックミラーやプリズムにより、Ｒ（赤色光）、Ｇ（緑色光）、Ｂ（青色光）の３つに分けられたそれぞれの光は、プロジェクタの映像信号の反射型のＲ（赤色光）、Ｇ（緑色光）、Ｂ（青色光）の３つ表示部例えばＤＭＤ素子で反射されて３つに反射光となり、これらはプリズムにより合成されて、投写レンズを経由して拡大されスクリーンに投影されるものである。
なお、光源としての複数のＬＥＤから発光される複数の光を拡散板により拡散して光束は、適宜、インテグレータレンズ、リレーレンズ、リレーコンデンサーレンズを経由させるものである。
【００１１】
本発明のプロジェクタ用光源装置は、光源としてのＬＥＤは照射角：０〜１５度のものであり、好ましくは照射角：０〜１０度、より好ましくは照射角：０〜７度、さらに好ましくは照射角：０〜５度のもの、照射角：０〜４度のものを用いる。このようなＬＥＤを複数個、それぞれの照射方向が集光するように基板に設けてられているので、光の利用効率を上げることができ、プロジェクタ用の光源として十分な光度とすることができる。
【００１２】
このような光源としての複数のＬＥＤから発光される複数の光は拡散板で拡散され、複数のＬＥＤの光の“つぶ”は光束のようになる。拡散板は複数枚設けてもよい。
また、拡散板は複数のＬＥＤに近接させて基板に設けてもよい。また、拡散板としては、例えばフレネルレンズを用いる。また、拡散板として、集光フレネルレンズを用いて、光源としての複数のＬＥＤからの光が集光フレネルレンズにより拡散と集光を行なわるようにしてもよい  また、基板に設けられる光源としての複数のＬＥＤは、基板に円形配置して設けることで光の利用効率を上げることができる。
例えば、縦９０ｍｍ×横９０ｍｍの四角形の基板に、１０ｃｄ（カンデラ）のＬＥＤを２０００〜３８００個設けて、１００００ＡＮＳＩルーメンとすることができ、プロジェクタ用の照明として十分な光度とすることができる。
【００１３】
また、本発明のプロジェクタ用光源装置は、上述したように、基板に光源としての複数のＬＥＤを設け、複数のＬＥＤを設けた基板を複数枚組み合わせて皿状の面に形成して光源とすることにより、プロジェクタ用の照明としてより十分な光度とすることができる。
複数のＬＥＤを設けた基板を複数枚組み合わせて皿状の面に形成する態様としては、中央に方形の複数のＬＥＤを設けた基板を置き、その回りに４枚の台形基板を配置して５枚の基板で皿状の面に形成する場合、また中央に方形基板を置き、その回りに４枚の台形基板を配置し、さらにその回りに４枚の台形基板を配置し、９枚の基板で皿状の面に形成する場合などがある。
【００１４】
また、本発明のプロジェクタ用光源装置は、複数のＬＥＤを設けた光源を、映像信号に同期させて点滅させる制御手段を設けることが好ましい。ＬＥＤは応答速度が速いものであり、映像信号に同期させて光源としてのＬＥＤを点滅させることにより、消費電力を一層少なくすることができ、またＬＥＤの長寿命化させることができるものである。
【００１５】
【実施例１】
本発明の実施例１について、図１〜図８を参照して説明する。
図１は本発明の実施例１の光源装置の斜視図、図２は図１の一部断面図、図３と図４はＬＥＤを示した図、図５と図６は拡散板としてのフレネルレンズの断面を示した図であり、図７は図１の光源装置を設けた液晶プロジェクタを示した図、図８は図１の光源装置を設けたＤＭＤプロジェクタを示した図である。
図１の斜視図に示すように、光源１、拡散板としての集光フレネルレンズ２、集口窓３が配置されて、光源１は複数のＬＥＤ１０が基板１１に設けられているものである。
【００１６】
ＬＥＤとしては、図３に示すような、Ｒ（赤色）、Ｇ（緑色）、Ｂ（青色）のＬＥＤチップ２５の３個をエポキシ２６で封止した３ｉｎ１フルカラーＬＥＤ１０ａで、照射角θ：０〜１５度のものを用いる。
または、ＬＥＤは、図４に示すような、ＬＥＤチップ２７をエポキシ２８で封止したＬＥＤ１０ｂで、照射角θ：０〜１５度のものを用いる。このようなＬＥＤ１０ｂは、赤色ＬＥＤと青色ＬＥＤと緑色ＬＥＤを混ぜ基板１１に設ける。または白色ＬＥＤと赤色ＬＥＤと青色ＬＥＤと緑色ＬＥＤを混ぜ基板１１に設けるものである。
【００１７】
図２（ａ）は図１の光源１のＹ−Ｙ´の断面図であり、図２（ｂ）は図１の光源１のＸ−Ｘ´の断面図である。照射角θ：０〜１５度のＬＥＤ１０の照射方向が集光するように基板１１に設けられている。
図５は、図１の拡散板としてのフレネルレンズ２の断面を示したもので、基板１１に設けられた複数のＬＥＤ１０から発光される複数の光は“つぶ”であるが、この拡散板としての集光フレネルレンズ２で拡散されて１本の光束のようになり、またこのフレネルレンズ２で光束を集光させるものである。
また、図６は、拡散板２が、フレネルレンズ２ａ、２ｂ、２ｃの複数枚で構成されているもので、基板１１に設けられた複数のＬＥＤ１０から発光される複数の光の“つぶ”は、フレネルレンズ２ａ、２ｂ、２ｃで拡散されて１本の光束のようになるものである。
【００１８】
図７は上述の光源装置を設けた液晶プロジェクタで、複数のＬＥＤの光源１、集光フレネルレンズ２、集口窓３、ダイクロイックミラー４ａ、４ｂとミラー５ａ〜５ｃ、液晶パネル（ライトバルブ）６Ｒ、６Ｇ、６Ｂ、ダイクロイックプリズム７、プロジェクションレンズ９を備えている。
複数のＬＥＤの光源１からの白色光は、拡散板としての集光フレネルレンズ２で拡散して光束とするとともに集光され、集光窓３からダイクロイックミラー４ａに当てられる。ダイクロイックミラー４ａは、Ｒ（赤色）の光のみを透過する。ダイクロイックミラー４ａを透過したＲ（赤色）の光は、ミラー５ａで反射され、フィールドレンズ（図示省略）を透過後液晶パネル６Ｒを照明する。
【００１９】
ダイクロイックミラー４ａで反射されたＧ（緑色）とＢ（青色）の光は、ダイクロイックミラー４ｂでＧ（緑色）の光を反射し、Ｂ（青色）の光を透過する。
ダイクロイックミラー４ｂで反射したＧ（緑色）の光は、フィールドレンズ（図示省略）を透過後液晶パネル６Ｇを照明する。
ダイクロイックミラー４ｂを透過したＢ（青色）の光は、ミラー５ｂで反射され、さらにミラー５ｃで反射されて、フィールドレンズ（図示省略）を透過後液晶パネル６Ｂを照明する。
液晶パネル６Ｒの光学画像の光はプリズム７ａに入射され、液晶パネル６Ｇの光学画像の光はプリズム７ｂに入射され、液晶パネル６Ｂの光学画像の光はプリズム７ｃに入射され、プリズム７ａ〜７ｃの作用により、プリズム７ｄで８Ｒ（赤色）と８Ｇ（緑色）と８Ｂ（青色）は合成され、プロジェクションレンズ（投写レンズ）９を経由してスクリーン（図示省略）に拡大されて投影されるものである。
このような光源１では、複数のＬＥＤ１０からの光が集光フレネルレンズ２によりり拡散、集光されてプロジェクタの映像信号の表示部に配光され、プロジェクタ用光源装置として十分な光度とすることができ、スクリーンに拡大した高精度の画像を映すことができるものである。
【００２０】
図８は、上述の光源装置を設けたＤＭＤプロジェクタで、複数のＬＥＤの光源１、集光フレネルレンズ２、集光窓３、ミラー４５、全反射プリズム５０、色分解／色結合プリズム５１、５２、５３、プリズム５４、プロジェクションレンズ（投写レンズ）９、及びＤＭＤ素子４６Ｂ（青色）、４６Ｇ（緑色）、４６Ｒ（赤色）を備えている。ＤＭＤ素子４６Ｂ、４６Ｇ、４６Ｒは、それぞれ冷却のためペルチェ素子４７とファン４８を設けている。
【００２１】
複数のＬＥＤの光源１からの白色光は、拡散板としての集光フレネルレンズ２で拡散して光束とするとともに集光され、集光窓３からミラー４５に当てられ、白色光６０Ｗは全反射プリズム５０で６１Ｗに反射する。白色光６１Ｗは色分解／色結合プリズム５１で、青色光は色分解されて青色光６２Ｂ、６３ＢのようにＤＭＤ素子４６Ｂを照射し、ＤＭＤ素子４６Ｂから反射された光学画像の青色光は６４Ｂ、６５Ｂとなり、プリズム５４で集光される。
全反射プリズム５０で反射し、色分解／色結合プリズム５１を透過した赤色光と緑色光のうち、赤色光は、色分解／色結合プリズム５３で色分解されて赤色光６９Ｒ、７０ＲのようにＤＭＤ素子４６Ｒを照射し、ＤＭＤ素子４６Ｒから反射された光学画像の赤色光は７１Ｒ、７２Ｒとなり、プリズム５４で集光される。
【００２２】
緑色光は、色分解／色結合プリズム５１を透過し、さらに色分解／色結合プリズム５３を透過して緑色光６７Ｇとなり、ＤＭＤ素子４６Ｇを照射し、ＤＭＤ素子４６Ｇから反射された光学画像の緑色光は６８Ｇとなり、プリズム５４で集光される。
ＤＭＤ素子から反射した光学画像の青色光６５Ｂ、赤色光７２Ｒ、緑色光６８Ｇの３つはプリズム５４で集光され、プロジェクションレンズ（投写レンズ）９を経由してスクリーン４９に拡大して投影されるものである。
光源１、集光フレネルレンズ２により複数のＬＥＤ１０からの光が集光フレネルレンズ２により拡散、集光されてプロジェクタの全反射プリズム５に配光されるものであるが、集光窓３とミラー４５の間に適宜、ＵＶＩＲカットフィルターや光量ムラを消し均一照明とするためのロッドインテグレーターを配置するものである。
このように光源１、集光フレネルレンズ２により複数のＬＥＤ１０からの光が集光フレネルレンズ２により拡散、集光されていることにより、十分な光度とすることができ、ＤＭＤ素子４６Ｂ、４６Ｒ、４６Ｇから反射された光学画像をスクリーンに拡大した高精度の画像として映すことができるものである。
【００２３】
【実施例２】
本発明の実施例２について図９を参照して説明する。
図９は実施例２のプロジェクタ用光源装置の斜視図である。
図９に示すように、光源１は複数のＬＥＤ１０が基板１１に設けられているものであり、光源としての複数のＬＥＤ１０に近接して拡散板としてのフレネルレンズ１２が設けられているものである。光源としての複数のＬＥＤ１０からの白色光は、拡散板としのフレネルレンズ１２で拡散され、集光レンズ１３で集光され、集光窓３から上述した図７のプロジェクタの映像信号の表示部の液晶パネル６Ｒ、６Ｂ、６Ｇに配光されるものであり、また図８のプロジェクタの映像信号の表示部のＤＭＤ素子４６Ｂ、４６Ｇ、４６Ｒに配光されるものである。
【００２４】
ＬＥＤ１０としては、上述したよう図３に示すような、Ｒ（赤色）、Ｇ（緑色）、Ｂ（青色）のＬＥＤチップ２５の３個をエポキシ２６で封止した３ｉｎ１フルカラーＬＥＤ１０ａで、照射角θ：０〜１５度のものを用いる。また、図４に示すような、ＬＥＤチップ２７をエポキシ２８で封止したＬＥＤ１０ｂで、照射角θ：０〜１５度のものを用いる。このようなＬＥＤ１０ｂは、赤色ＬＥＤと青色ＬＥＤと緑色ＬＥＤを混ぜ基板１１に設ける。または白色ＬＥＤと赤色ＬＥＤと青色ＬＥＤと緑色ＬＥＤを混ぜ基板１１に設けるものである。
また、上述した図２（ａ）及び図２（ｂ）に示すように、照射角θ：０〜１５度のＬＥＤ１０の照射方向が集光するように基板１１に設けられているものである。
【００２５】
複数のＬＥＤ１０に近接して設けられる拡散板としてのフレネルレンズ１２は、基板１１に固定して設けてもよい。拡散板としてのフレネルレンズ１２は、図６に示すように複数枚で構成してもよい。
拡散板としてのフレネルレンズ１２で複数のＬＥＤ１０からの光の“つぶ”の拡散を行わせ、集光レンズ１３で集光させる場合、拡散板としてのフレネルレンズ１２を集光フレネルレンズとし、複数のＬＥＤ１０からの光の“つぶ”の拡散を行わせるとともに集光させ、これを集光レンズ１３で集光させる場合、あるいは集光レンズ１３を集光フレネルレンズとし、ここで集光を行わせるとともに拡散を行わせるようにしてもよい。
このような、光源装置により十分な光度とすることができ、スクリーンに拡大した高精度の画像を映すことができるものである。
【００２６】
【実施例３】
本発明の実施例は、プロジェクタ用光源装置の光源が複数のＬＥＤとフレネルレンズが設けられた基板を組み合わせて皿状の面に形成したもので、図１０〜図１３を参照して説明する。
図１０は本発明の実施例３の光源装置の斜視図であり、図１１は図１０の光源の平面図、図１２は図１０の光源のＸ−Ｘ´断面図、図１３は図１０の光源のＹ−Ｙ´断面図である。
図１０と図１１に示すように、光源２０は、方形の光源部２０ａを中央部とし、その回りに台形の光源部２０ｂ〜２０ｅを組み合わせて５個で、皿状の面に形成したものである。
光源部２０ａは、方形の基板２１ａに複数のＬＥＤ１０が円形に配置して設けられ、複数のＬＥＤ１０に近接して拡散板２２ａが設けられている。
光源部２０ｂは、台形の基板２１ｂに複数のＬＥＤ１０が円形に配置して設けられ、複数のＬＥＤ１０に近接して拡散板２２ｂが設けられている。同様に光源部２０ｃは，基板２１ｃに複数のＬＥＤ１０と拡散板２２ｃが設けられ、光源部２０ｄは，基板２１ｄに複数のＬＥＤ１０と拡散板２２ｄが設けられ、光源部２０ｅは，基板２１ｅには複数のＬＥＤ１０と拡散板２２ｅが設けられている。
【００２７】
ＬＥＤ１０としては、上述したよう図３に示すような照射角θ：０〜１５度のものを用いる。また、図４に示すような照射角θ：０〜１５度のものを用い、赤色ＬＥＤと青色ＬＥＤと緑色ＬＥＤを混ぜて、あるいは白色ＬＥＤと赤色ＬＥＤと青色ＬＥＤと緑色ＬＥＤを混ぜて基板１１に設けるものである。
また、図１２のＸ−Ｘ´断面図に示すように、照射角θ：０〜１５度の複数のＬＥＤ１０が基板２１ｅに照射方向が集光するように設けられ、複数のＬＥＤ１０が基板２１ａに照射方向が集光するように設けられ、また複数のＬＥＤ１０が基板２１ｃに照射方向が集光するように設けられている。
また、図１３のＹ−Ｙ´断面図に示すように、照射角θ：０〜１５度の複数のＬＥＤ１０が基板２１ｂに照射方向が集光するように設けられ、複数のＬＥＤ１０が基板２１ａに照射方向が集光するように設けられ、また複数のＬＥＤ１０が基板２１ｄに照射方向が集光するように設けられている。
さらに、基板２１ａ〜２１ｅに、それぞれ照射方向が集光するように設けられている複数のＬＥＤ１０が、全体として複数のＬＥＤ１０の照射方向が集光するように設けられているものである。
【００２８】
拡散板２２ａ〜２２ｅとしてはフレネルレンズを用い、複数のＬＥＤ１０に近接して設けられる。拡散板２２ａ〜２２ｅとしてのフレネルレンズは、図６に示すように複数枚で構成してもよい。
基板２１ａ〜２１ｅに設けられた複数のＬＥＤ１０からの光の“つぶ”は、それぞれの拡散板２２ａ〜２２ｅで拡散され、集光レンズ２３で集光されて、集光窓３から上述した図７、図８のプロジェクタの映像信号の表示部に配光されるものであり、プロジェクタ用光源装置として十分な光度とすることができ、スクリーンに拡大した高精度の画像を映すことができるものである。
【００２９】
【実施例４】
本発明の実施例４について図１４に示す。
図１４は、光源としての複数のＬＥＤを液晶プロジェクタの映像信号に同期させて点滅させるプロジェクタ用光源装置を示した図である。図１４の液晶プロジェクタとその光源装置の構造は、図１〜７で説明したものと同様である。
液晶パネル６Ｒの映像信号３０Ｒ、液晶パネル６Ｇの映像信号３０Ｇ、液晶パネル６Ｂの映像信号３０Ｂを制御装置３０に接続し、また光源１の複数のＬＥＤ１０を制御装置３０に接続し、液晶プロジェクタの映像信号３０Ｒ、３０Ｇ、３０Ｂに同期させて制御装置３０によりＬＥＤ１０を点滅させるものであり、これにより消費電力を少なくすることができるものである。
【００３０】
【発明の効果】
以上説明したように、本発明のプロジェクタ用光源装置によれば、光源としての複数のＬＥＤから光を拡散板により拡散して光束とし、スクリーンに高精度の画像を拡大して映すことができるものであり、また複数のＬＥＤは、照射角：０〜１５度のものを照射方向が集光するように基板に設けてられているので、プロジェクタ用の照明として十分な光度とすることができるものであり、また光源としてＬＥＤを用いているので、発熱がなく、消費電力が少なく、断線事故も少ないという効果を奏するものである。
【図面の簡単な説明】
【図１】本発明の実施例１の光源装置の斜視図
【図２】本発明の実施例１の光源装置の一部を示す図
【図３】本発明の実施例１の光源装置の一部を示す図
【図４】本発明の実施例１の光源装置の一部を示す図
【図５】本発明の実施例１の光源装置の一部を示す図
【図６】本発明の実施例１の光源装置の一部を示す図
【図７】本発明の実施例１のプロジェクタと光源装置を示した図
【図８】本発明の実施例１のプロジェクタと光源装置を示した図
【図９】本発明の実施例２の光源装置の斜視図
【図１０】本発明の実施例３の光源装置の斜視図
【図１１】本発明の実施例３の光源装置の平面図
【図１２】本発明の実施例３の光源装置の一部を示す図
【図１３】本発明の実施例３の光源装置の一部を示す図
【図１４】本発明の実施例４を説明する図
【図１５】従来例を示す図
【符号の説明】
１  光源
２  拡散板
３  集光窓
４ａ、４ｂ  ダイクロイックミラー
５ａ〜５ｃ  ミラー
６Ｒ、６Ｇ、６Ｂ  液晶パネル
７  ダイクロイックプリズム
８  プロジェクションレンズ
１０  ＬＥＤ
１１  基板
【図１】
2004279507.tif 000003
【図２】
2004279507.tif 000004
【図３】
2004279507.tif 000005
【図４】
2004279507.tif 000006
【図５】
2004279507.tif 000007
【図６】
2004279507.tif 000008
【図７】
2004279507.tif 000009
【図８】
2004279507.tif 000010
【図９】
2004279507.tif 000011
【図１０】
2004279507.tif 000012
【図１１】
2004279507.tif 000013
【図１２】
2004279507.tif 000014
【図１３】
2004279507.tif 000015
【図１４】
2004279507.tif 000016
【図１５】
2004279507.tif 000017